(57)【要約】【課題】投写光学系にレンズシフト機構を備えた投写型映像表示装置において、投写レンズのシフトに伴い発生する漏れ光を削減することを目的とする。【解決手段】本発明に係る投写型映像表示装置は、照明光を射出する照明光学系１０と、照明光学系１０からの照明光を映像信号に応じて変調するライトバルブ３０ｒ，３０ｇ，３０ｂと、ライトバルブ３０ｒ，３０ｇ，３０ｂで得られる変調光を映像光として投写する投写光学系５０とを備えている。また、投写光学系５０は、映像光を拡大投写する投写レンズユニット５１と、投写レンズユニット５１を光軸に直交する上下方向或いは左右方向に移動させることによって映像の投写位置を調整するレンズシフト機構と、映像投写時にスクリーン６０の所定投写領域の外側に映りこむ漏れ光を遮断するための遮光板５２とを備えている。【選択図】図１
2011059385.tif 000002
【特許請求の範囲】
【請求項１】
照明光を射出する照明光学系と、前記照明光学系からの照明光を映像信号に応じて変調するライトバルブと、ライトバルブで得られる変調光を映像光として投写する投写光学系とを備え、
投写光学系は、映像光を拡大投写する投写レンズユニットと、投写レンズユニットを光軸に直交する上下方向或いは左右方向にシフトさせることによって映像の投写位置を調整するレンズシフト機構と、映像投写時にスクリーンの所定投写領域の外側に映りこむ漏れ光を遮断するための遮光板とを備えていることを特徴とする投写型映像表示装置。
【請求項２】
前記遮光板は、中央部に映像光を透過させる四角形の開口部を有するとともに開口部の周辺は非透光性材料により形成され、さらに、この開口部の上下方向の辺及び左右方向の辺の寸法を可変とすることができるように形成されておなり、投写レンズユニットがレンズシフト機構によりシフトされていない状態であるシフトセンター位置にあるときに上下方向の辺及び左右方向の辺の寸法が最大となり、投写レンズユニットがレンズシフト機構により上下或いは左右方向の最大シフト位置にあるときに上下方向の辺及び左右方向の辺の寸法が最小となるように構成されていることを特徴とする請求項１記載の投写型映像表示装置。
【請求項３】
前記遮光板は、開口部の上下方向の辺及び左右方向の辺の最小寸法を、少なくとも映像光を通過させることのできる最小寸法として形成されていることを特徴とする請求項２記載の投写型映像表示装置。
【請求項４】
前記遮光板は、開口部の上下方向の辺及び左右方向の辺を可変とする開度調整機構がレンズシフト機構と連動して調整されるように構成されていることを特徴とする請求項２又は３記載の投写型映像表示装置。
【請求項５】
前記遮光板は、投写レンズユニットの入射側に設けられていることを特徴とする請求項１〜４の何れか１項に記載の投写型映像表示装置。
【発明の詳細な説明】
【技術分野】
【０００１】
本発明は、投写型映像表示装置に係り、特に、レンズシフト機構を備えた投写型映像表示装置に関する。
【背景技術】
【０００２】
投写型映像表示装置は、光源からの光を光学系のライトバルブに導いて映像光を生成し、これを前方のスクリーンへ拡大投写している。このような投写型映像表示装置の代表例として例えば３板式液晶投写型映像表示装置がある。このような３板式液晶投写型映像表示装置においては、分離された色光別に映像光を生成し、これを合成してカラー映像光として前方のスクリーンなどの所望の位置に拡大投写し、映像を提供している。また、このような投写型映像表示装置により所定の位置に映像を投影するには、投写型映像表示装置の設置位置を調整する必要がある。しかし、映像を所定の位置に映し出すように投写型映像表示装置の設置位置を定めることは容易でない。そこで、映し出す映像の位置をある程度調整できるようにするために、投写光学系にレンズシフト機構が設けられるようになってきている。このようなレンズシフト機構を搭載した投写型映像表示装置としては例えば特許文献１、特許文献２などがある。
【先行技術文献】
【特許文献】
【０００３】
【特許文献１】特開２００６−２８２６０号公報
【特許文献２】特開２００７−７８７２７号公報
【発明の概要】
【発明が解決しようとする課題】
【０００４】
ところで、このような投写型映像表示装置においては、投写レンズユニットがシフトされていない、所謂シフトセンター位置にある場合に比べ、投写レンズユニットが左右方向や上下方向にシフトされるにつれ、次のような理由で漏れ光が発生し易くなっていた。また、漏れ光が発生すると、スクリーン等の所定投写領域の外側に意図しない模様状の映像等が映し出されるため目障りとなっていた。
【０００５】
ここで、投写レンズユニットが左右方向や上下方向へシフトされるにつれ漏れ光が発生し易くなる理由について、図４に基づき説明する。この図はライトバルブから投写光学系周りに至る経路の模式構造図である。この経路には、照明光から分離された赤色光を変調する赤色光用ライトバルブ３０ｒ、同じく緑色光を変調する緑色光用ライトバルブ３０ｇ、同じく青色光を変調する青色光用ライトバルブ３０ｂが設けられている。また、変調された赤色光、緑色光、青色光を合成する色合成光学系４０と、合成された映像光を拡大投写する投写光学系５０とが設けられている。
【０００６】
赤色光用ライトバルブ３０ｒは、入射側に配置された入射側偏光板３１ｒ、透過型の液晶パネル３２ｒ、出射側に配置された出射側偏光板３３ｒなどから構成されている。同様に、緑色光用ライトバルブ３０ｇは、入射側に配置された入射側偏光板３１ｇ、透過型の液晶パネル３２ｇ、出射側に配置された出射側偏光板３３ｇなどから構成され、青色光用ライトバルブ３０ｂは、入射側に配置された入射側偏光板３１ｂ、透過型の液晶パネル３２ｂ、出射側に配置された出射側偏光板３３ｂなどから構成されている。
【０００７】
色合成光学系４０は、クロスダイクロイックプリズム４１などから構成されている。クロスダイクロイックプリズム４１は、赤色光用ライトバルブ３０ｒにて変調されて出射された赤色光を反射させる反射面４１ａ及び青色光用ライトバルブ３０ｂにて変調されて出射された青色光を反射させる反射面４１ｂを備えている。一方、緑色光用ライトバルブ３０ｇにて変調されて出射された緑色光はクロスダイクロイックプリズム４１を直進透過する。したがって、クロスダイクロイックプリズム４１に入射した赤色光及び青色光は、反射面４１ａ，４１ｂで反射されるとともに、クロスダイクロイックプリズム４１に入射して直進透過する緑色光と合成される。そして、合成された合成光がカラー映像光として出射されるように構成されている。
【０００８】
投写光学系５０は、クロスダイクロイックプリズム４１の出射側に配置されており、投写レンズユニット５１などから構成されている。クロスダイクロイックプリズム４１から出射された合成光であるカラー映像光は、投写レンズユニット５１によりスクリーン（図示せず）などに拡大投写されるように構成されている。また、投写光学系５０は、投写型映像表示装置本体を移動させずに、投写映像を上下左右にある程度移動可能とするためにレンズシフト機構が設けられている。このレンズシフト機構の具体的な構造を図示しないが、図４（ａ）は投写レンズユニット５１がシフトされていない、所謂シフトセンター位置にある状態を示し、図４（ｂ）は投写レンズユニット５１が上下方向或いは左右方向に最大限シフトされた最大シフト位置Ｍにある状態を示している。
【０００９】
投写レンズユニット５１がシフトセンター位置にある場合には、図４（ａ）に示すように、緑色光用ライトバルブ３０ｇからのある角度を持った光Ｓ１がクロスダイクロイックプリズム４１の側面で反射して投写レンズユニット５１に入射される。また、赤色光用ライトバルブ３０ｒからのある角度を持った光Ｓ２がクロスダイクロイックプリズム４１及び反射面４１ａで反射して、前記光Ｓ１と同様に投写レンズユニット５１に入射される。この場合の光Ｓ１，Ｓ２は図示されるようにイメージサークルＣの外側からの光Ｓａと同等の光として投写レンズユニット５１に入射されるので、スクリーンに結像されない。しかし、投写レンズユニット５１が図４（ｂ）のように左右或いは上下方向への最大シフト位置Ｍに移動させられたときには、図４（ｂ）に示すようにイメージサークルＣが移動するため、光Ｓ１，Ｓ２と同等に扱われる光ＳａとしてはイメージサークルＣ内から発せられるようになる。このため光Ｓ１，Ｓ２は、スクリーンの所定領域の外側で結像する所謂漏れ光となり、目障りな光となって現れる。このように、投写レンズユニット５１が左右方向や上下方向へシフトされるにつれ、液晶パネル３２ｒ、３２ｇ、３２ｂからのイメージサークルＣの外れ寸法Ｄが大きくなるため、漏れ光が発生し易くなる。
【００１０】
本発明は、このような背景の下に成されたものであって、投写光学系にレンズシフト機構を備えた投写型映像表示装置において、投写レンズのシフトに伴い発生する漏れ光を削減することを目的とする。
【課題を解決するための手段】
【００１１】
本発明に係る投写型映像表示装置は、照明光を射出する照明光学系と、前記照明光学系からの照明光を映像信号に応じて変調するライトバルブと、ライトバルブで得られる変調光を映像光として投写する投写光学系とを備え、投写光学系は、映像光を拡大投写する投写レンズユニットと、投写レンズユニットを光軸に直交する上下方向或いは左右方向にシフトさせることによって映像の投写位置を調整するレンズシフト機構と、映像投写時にスクリーンの所定投写領域の外側に映りこむ漏れ光を遮断するための遮光板とを備えていることを特徴とする。
【００１２】
レンズシフト機構を備えた投写型映像表示装置は、前述のようにレンズシフト機構により投写レンズユニットが上下或いは左右方向にシフトされた場合にイメージサークルの移動に伴い漏れ光が発生し易く、これが問題となっているが、本発明の場合は、遮光板によりこのような漏れ光を遮断することができる。
【００１３】
また、前記遮光板は、中央部に映像光を透過させる四角形の開口部を有するとともに開口部の周辺は非透光性材料により形成され、さらに、この開口部の上下方向の辺及び左右方向の辺の寸法を可変とすることができるように形成されており、投写レンズユニットがレンズシフト機構によりシフトされていない状態であるシフトセンター位置にあるときに上下方向の辺及び左右方向の辺の寸法が最大となり、投写レンズユニットがレンズシフト機構により上下或いは左右方向の最大シフト位置にあるときに上下方向の辺及び左右方向の辺の寸法が最小となるように構成されていることが好ましい。上記において、「辺の寸法が最大」或いは「辺の寸法が最小」とあるが、この意味は、機構上の限界寸法を意味するのではなく、使用範囲における最大寸法或いは最小寸法を意味するものとする。本明細書において以下同様とする。
【００１４】
このように構成すれば、投写レンズユニットがレンズシフト機構によりシフトされていない、所謂シフトセンター位置にあるときに上下方向の辺及び左右方向の辺の寸法が最大となり、投写レンズユニットがレンズシフト機構により上下或いは左右方向にシフトされるにつれ、液晶パネルからのイメージサークルの外れ寸法が大きくなるため、投写レンズユニットの外周部を通過する漏れ光が発生し易くなる。しかし、遮光板が上記のように構成されていることにより、投写レンズユニットのシフト寸法が大きくなるにつれ、遮光板の開口部の開口寸法を小さくすることができ、これにより漏れ光を効果的に削減することができる。
【００１５】
前記遮光板は、開口部の上下方向の辺及び左右方向の辺の最小寸法を、少なくとも映像光を通過させることのできる最小寸法として形成されていることが好ましい。このように構成することにより投写映像の欠落を防止しながら、漏れ光を削減することができる。
【００１６】
前記遮光板は、開口部の上下方向の辺及び左右方向の辺を可変とする開度調整機構がレンズシフト機構と連動して調整するように構成されていることが好ましい。このように構成されていると、使用者の操作不慣れによる調整不良をなくすることができる。
【００１７】
前記遮光板は、投写レンズユニットの入射側に設けられていることが好ましい。このように構成することにより、遮光板を投写型映像表示装置の本体内に収納することが容易になる。
【発明の効果】
【００１８】
本発明に係る投写型映像表示装置によれば、レンズシフト機構により投写レンズユニットが上下或いは左右方向にシフトされた場合に、イメージサークルの移動に伴い漏れ光が発生し易くなるが、遮光板によりこのような漏れ光を削減することができる。
【図面の簡単な説明】
【００１９】
【図１】本発明の実施の形態に係る投写型映像表示装置の光学系系統図である。
【図２】同遮光板の形状及び開度説明図であり、（ａ）は開度最大時の状態図であり、（ｂ）は開度最小時の状態図である。
【図３】同投写型映像表示装置における遮光板の機能説明図であり、（ａ）は投写レンズユニットがシフトセンター位置にある状態の説明図であり、（ｂ）は投写レンズユニットが左右又は上下方向に最大限シフトされた状態の説明図である。
【図４】従来の投写型映像表示装置における漏れ光の説明図であり、（ａ）は投写レンズユニットがシフトされていない状態の説明図であり、（ｂ）は投写レンズユニットが左右又は上下方向に最大限シフトされた状態の説明図である。
【発明を実施するための形態】
【００２０】
以下、本発明の実施の形態に係る投写型映像表示装置について図面に基づいて説明する。先ずその光学系について図１に基づき説明する。
この投写型映像表示装置は、３板式液晶投写型映像表示装置であって、その光学系として、照明光を射出する照明光学系１０、照明光学系１０から射出された照明光を赤色光、緑色光及び青色光に分離する色分離光学系２０を備えている。さらに、この光学系には、色分離光学系２０によって分離された赤色光、緑色光及び青色光をそれぞれ変調する各色光用のライトバルブ３０ｒ，３０ｇ，３０ｂと、ライトバルブ３０ｒ，３０ｇ，３０ｂにより変調された変調光を合成する色合成光学系４０とを備えている。また、この光学系は、色合成光学系４０から射出された合成光をカラー映像光としてスクリ−ン６０等に対し拡大投写するための投写光学系５０を備えている。
【００２１】
照明光学系１０は、光源ランプ１１、インテグレータレンズ１２、偏光変換素子１３、及びコンデンサーレンズ１４を有している。光源ランプ１１から出射された光束は、入射側に配設される第１レンズアレイと、出射側に配設される第２レンズアレイとからなるインテグレータレンズ１２に照射される。インテグレータレンズ１２に照射された光束は、第１レンズアレイの複数のセルレンズにより複数の微小な部分光束に分割する。そして、第１レンズアレイから出射された複数の部分光束のそれぞれが対応する第２レンズアレイのセルレンズ上に集光される。また、インテグレータレンズ１２から出射された光束は、偏光変換素子１３において光を所定の偏光光に揃えられ、コンデンサーレンズ１４を通して色分離光学系２０へ出射される。
【００２２】
色分離光学系２０は、ダイクロイックミラー２１，２２、反射ミラー２３，２４，２５、リレーレンズ２６，２７、コンデンサーレンズ２８ｒ、２８ｇ、２８ｂなどから構成されたものであって、照明光学系１０から射出される照明光を赤色光、緑色光及び青色光に分離する機能を有している。
【００２３】
第１のダイクロイックミラー２１は、赤色光を透過させるとともに、緑色光及び青色光を反射する。第１のダイクロイックミラー２１を透過した赤色光は、反射ミラー２３で反射され、コンデンサーレンズ２８ｒを透過して赤色光用ライトバルブ３０ｒを照明する。コンデンサーレンズ２８ｒは、照明光学系１０からの複数の部分光束がそれぞれ赤色光用ライトバルブ３０ｒを照明するように集光し、各部分光束がそれぞれ略平行な光束となるように設定されている。なお、後述する緑色光用ライトバルブ３０ｇ及び青色光用ライトバルブ３０ｂの入射側に配設されたコンデンサーレンズ２８ｇ，２８ｂもコンデンサーレンズ２８ｒと同様に設定されている。
【００２４】
第１のダイクロイックミラー２１で反射された緑色光と青色光のうち緑色光は、第２のダイクロイックミラー２２によって反射され、コンデンサーレンズ２８ｇを透過して緑色光用ライトバルブ３０ｇを照明する。一方、青色光は、第２のダイクロイックミラー２２を透過し、リレーレンズ２６、反射ミラー２４、リレーレンズ２７を順次通過して青色光用ライトバルブ３０ｂを照明する。
【００２５】
赤色光用ライトバルブ３０ｒは、前記従来のものと同様であって、入射側に配置された入射側偏光板３１ｒ、透過型の液晶パネル３２ｒ、出射側に配置された出射側偏光板３３ｒなどから構成されている。また、緑色光用ライトバルブ３０ｇは、入射側に配置された入射側偏光板３１ｇ、透過型の液晶パネル３２ｇ、出射側に配置された出射側偏光板３３ｇなどから構成され、青色光用ライトバルブ３０ｂは、入射側に配置された入射側偏光板３１ｂ、透過型の液晶パネル３２ｂ、出射側に配置された出射側偏光板３３ｂなどから構成されている。
【００２６】
色合成光学系４０は、これも前記従来のものと同様であって、クロスダイクロイックプリズム４１などから構成されている。また、クロスダイクロイックプリズム４１は、赤色光用ライトバルブ３０ｒにて変調されて出射された赤色光を反射させる反射面４１ａ及び青色光用ライトバルブ３０ｂにて変調されて出射された青色光を反射させる反射面４１ｂを備えている。そして、クロスダイクロイックプリズム４１に入射した赤色光及び青色光は反射面４１ａ，４１ｂで反射され、クロスダイクロイックプリズム４１に入射して直進透過する緑色光と合成され、合成光がカラー映像として出射されるように構成されている。
【００２７】
投写光学系５０は、クロスダイクロイックプリズム４１の出射側に配置されており、投写レンズユニット５１と、投写レンズユニット５１の入射側に配置された遮光板５２と、投写映像を上下左右に移動させためのレンズシフト機構（具体的な構成は図示せず）などから構成されている。
【００２８】
遮光板５２は、図２に示すように、非透光性材料よりなる枠部材５２ｂの中央部に上下方向の辺５２ｃと左右方向の辺５２ｄとにより四角形に形成された開口部５２ａを備えている。また、遮光板５２は、投写レンズユニット５１の左右又は上下方向のシフト比率に応じて左右及び上下方向の各辺５２ｃ、５２ｄの寸法を変更するように形成されている。そして、遮光板５２は、シフトセンター位置にて図２（ａ）に示す最大開口部となり、上下又は左右方向のシフト最大位置Ｍ（図３参照）にて各辺５２ｃ、５２ｄの寸法が最小となる、図２（ｂ）の最小開口部となるように形成されている。ここでシフト比率とは、シフト最大寸法に対するシフト寸法の比率であって、シフト寸法がシフト最大寸法となるときを１００パーセントとしている。なお、各辺５２ｃ、５２ｄの寸法は上下方向のシフト比率と左右方向のシフト比率との何れかシフト比率の多い方に連動して、上下方向の辺５２ｃ及び左右方向の辺５２ｄが同時に縮小するように形成されている。すなわち、開口部５２ａは図３（ａ）の最大開口部と図３（ｂ）の最小開口部との間を線形補完して開度可変となるように形成されている。また、開口部５２ａの上下方向の辺５２ｃ及び左右方向の辺５２ｄを可変とする開度調整機構がレンズシフト機構と連動して調整されるように構成されているものとする。
【００２９】
以上のように構成された投写型映像表示装置において、遮光板５２は次のように作用する。
図３（ａ）に示すようにレンズシフト機構により投写レンズユニット５１のシフト位置がシフトセンター位置にあるときは、遮光板５２の開口部５２ａが図２（ａ）の最大開口面積の状態とされている。このとき、例えば緑色光用ライトバルブ３０ｇからの光Ｓ１はクロスダイクロイックプリズム４１の側面で反射して投写レンズユニット５１に入射される。また、赤色光用ライトバルブ３０ｒからの光Ｓ２はクロスダイクロイックプリズム４１及び反射面４１ａで反射して、前記光Ｓ１と同様に投写レンズユニット５１に入射される。この場合の光Ｓ１，Ｓ２は、図示されるようにイメージサークルＣの外側からの光Ｓａと同等の光として投写レンズユニット５１に入射されるので、スクリーンに結像されない。したがって、この状態における光Ｓ１及びＳ２は漏れ光とはなっていない。
【００３０】
次に、図３（ｂ）に示すようにレンズシフト機構により投写レンズユニット５１が左右又は上下方向にシフトされると、液晶パネル３２ｒ、３２ｇ、３２ｂからのイメージサークルＣの外れ寸法Ｄが大きくなるため、液晶パネルを通過しないがイメージサークル内から発する光と同等光が多くなり、漏れ光が発生しやすくなる。しかし、本実施の形態においては、遮光板５２の開口部５２ａが投写レンズユニット５１の左右又は上下方向への大きい方のシフト量に連動して縮小されているので、このような投写レンズユニット５１のシフトに伴う漏れ光の発生が削減されている。なお、投写レンズユニット５１が左右又は上下方向の最大シフト位置Ｍにシフトされたときは、遮光板５２の開口部５２ａが図２（ｂ）の最小開口面積の状態となるように縮小されている。
【００３１】
因みに、図３(ｂ)は、投写レンズユニット５１が最大シフト位置Ｍにシフトされたときの状態図を示しているが、この場合を例により具体的に説明する。緑色光用ライトバルブ３０ｇからある角度を持った光Ｓ１及び赤色光用ライトバルブ３０ｒからある角度を持った光Ｓ２は、クロスダイクロイックプリズム４１の側面或いはクロスダイクロイックプリズム４１の反射面４１ａで反射して、前述の場合と同様に投写レンズユニット５１に入射される。また、この場合、投写レンズユニット５１のシフトに伴いイメージサークルＣが移動しているため、光Ｓ１，Ｓ２は、イメージサークルＣ内から発せられた光Ｓａと同等の光として投写レンズユニット５１の方に通過しようとする。この光Ｓａが投写レンズユニット５１に入射されると、スクリーン６０の所定領域の外側で結像する所謂漏れ光となる。ところがこの実施の形態においては、遮光板５２の開口部５２ａが最小開度に絞られているため、図３（ｂ）に示すように、投写レンズユニット５１への入射が防止される。この結果、漏れ光の発生が削減される。
【００３２】
遮光板５２の開口部５２ａの大きさは、図２（ａ）の最大開度が従来の遮光板なしの場合の光路面積と同程度の大きさとし、最小開度は映像光を通過させるのに必要な上下左右の辺５２ｃ、５２ｄの最小寸法程度としている。開口部５２ａの開度をこのように設定することにより、投写レンズユニット５１を最大シフト位置Ｍにシフトしたことにより取り込まれる漏れ光を、映像の欠落を防止しながら削除することができる。ここで、各辺の具体的寸法例を述べると、左右方向の辺５２ｃは、最大寸法が３５ｍｍであり、最小寸法が３２ｍｍである。また、上下方向の辺５２ｄは、最大寸法が３３ｍｍであり、最小寸法が３０ｍｍである。
【００３３】
実施の形態に係る投写型映像表示装置は、以上のように構成されており、次のような効果を奏することができる。
（１）レンズシフト機構により投写レンズユニット５１が上下又は左右方向にシフトされたときに、イメージサークルＣの移動に伴い漏れ光が発生し易くなるが、このような漏れ光は遮光板５２により遮断され、漏れ光の発生が削減される。
【００３４】
（２）投写レンズユニット５１が左右方向や上下方向へシフトされるにつれ、液晶パネル３２ｒ、３２ｇ、３２ｂからのイメージサークルＣの外れ寸法Ｄが大きくなるため、漏れ光が発生し易くなる。しかし、投写レンズユニット５１がレンズシフト機構によりシフトされていない、所謂シフトセンター位置にあるときに最大開口部とされ、投写レンズユニット５１がレンズシフト機構により上下或いは左右方向の最大シフト位置Ｍにあるときに開口部の上下及び左右方向の辺５２ｃ、５２ｄの寸法が最小となるように構成されている。したがって、投写レンズユニット５１のシフト寸法が大きくなるほど、遮光板５２の開口部の開口寸法を小さくなるので、これにより漏れ光を効果的に削減することができる。
【００３５】
（３）前記遮光板５２における前記上下方向の辺５２ｃの寸法及び左右方向の辺５２ｄの寸法は、少なくとも映像光を通過させることのできる最小寸法とされているので、投写映像の欠落を防止しながら、漏れ光を削減することができる。
【００３６】
（４）遮光板５２は、開口部５２ａの開度を変化させる開度調整機構がレンズシフト機構と連動して調整されるように構成されているので、使用者の操作不慣れによる調整不良をなくすることができる。
【００３７】
（５）遮光板５２は、投写レンズユニット５１の入射側に設けられているので、遮光板５２を投写型映像表示装置の本体内に収納することが容易になる。
（変形例）
本発明は、上記実施の形態において以下のように変更することもできる。
【００３８】
・実施の形態に係る投写型映像表示装置において、遮光板５２の開口部５２ａを最小開口面積に固定としてもよい。ただし、この場合は、前述のように映像の中心部や周辺部における照度が少し低下する。表１は、これを示したデータであって、従来の遮光板なしのものにおいてシフトセンター位置における映像の中心部の照度を１００％として、前述の実施の形態の場合及び本変形例のものについて、映像の中心部の照度と周辺光量比とを示す。表１における上覧は、前記実施の形態に相当するものであって、投写レンズユニット５１をシフトセンター位置とするとともに、遮光板５２の開度を最大とした場合であり、表１における下覧は、本変形例に相当するものであって、投写レンズユニット５１をシフトセンター位置とするとともに、遮光板５２の開度を最小とした場合である。この表から分かるように、前記実施の形態の場合は、中心部の照度が１００パーセントであり、周辺光度が８６パーセントであるのに対し、本変形例の場合は、中心部の高度が９５パーセントとなり、周辺光度が７０．９パーセントとなる。
【００３９】
【表１】
2011059385.tif 000003
・遮光板５２は、レンズシフト機構による投写レンズユニット５１の上下へのシフトに対して上下方向の辺５２ｃの寸法が縮小され、また、又は投写レンズユニット５１の左右方向へのシフトに対して左右方向の辺５２ｄの寸法が縮小されるように可変に形成したものとしてもよい。
【００４０】
・遮光板５２は、投写レンズユニット５１の出射側に設けることも理論的には可能である。ただし、この場合は、前記実施の形態の場合に比し取付構造が複雑となる。
・上記各実施形態においては、透過型の液晶パネル３２ｒ，３２ｇ，３２ｂを用いたものについて説明したが、本発明はこれに限定されず、反射型の液晶パネルを用いるようにしてもよい。また、液晶パネル以外のライトバルブを用いた構成としてもよい。
【符号の説明】
【００４１】
Ｓ１，Ｓ２，Ｓａ…光、Ｍ…最大シフト位置、１０…照明光学系、３０ｒ…赤色光用ライトバルブ、３０ｇ…緑色光用ライトバルブ、３０ｂ…青色光用ライトバルブ、５０…投写光学系、５１…投写レンズユニット、５２…遮光板、５２ａ…開口部、５２ｃ…上下方向の辺、５２ｄ…上下方向の辺、楕円面リフレクタ。
【図１】
2011059385.tif 000004
【図２】
2011059385.tif 000005
【図３】
2011059385.tif 000006
【図４】
2011059385.tif 000007